(57)【特許請求の範囲】
【請求項１】
汎用表計算ソフトにより作成された複数のセルからなる電気設備工事の保守修繕に関わる帳票への工事現場でのタブレット端末による入力作業を支援する帳票入力支援システムであって、
セルへの入力作業のための複数の支援メニューを前記汎用表計算ソフトの表示画面の上に重畳して表示する支援メニュー表示手段と、
作業者の操作に基づいて、前記複数の支援メニューの中から使用する支援メニューを選択する支援メニュー選択手段と、
前記選択した支援メニューに応じた作業者の操作に基づいて、セルへの入力を行う支援メニュー入力手段と、
を有し、
前記複数の支援メニューの１つが写真であり、撮影した写真のサイズを入力対象のセルのサイズに合わせて拡大又は縮小することを特徴とする帳票入力支援システム。
【発明の詳細な説明】
【技術分野】
【０００１】
本発明は、汎用表計算ソフトにより作成された帳票への入力作業を支援する帳票入力支援システムに関するものである。
【背景技術】
【０００２】
工事現場で現場監督をする者等は、工事が正しく施工できているかどうかの報告書を作成する必要がある。報告書の様式は、工事内容によって異なり、また施主毎に様式が異なることもあるため、数多くの種類に上る。従来、このような報告書の作成にあたっては、対象となる工事の報告書用紙を、予め紙にプリントアウトした未記入の状態で現場に持ち込み、施工状況を確認しながら用紙に書き留めた後、パソコン環境のある事務所等に戻ってから書き留めたデータの入力作業を行っていた。
【０００３】
これに対して、最近のタブレット端末等の普及に伴い、多数の報告書の様式を記録してあるタブレット端末等を工事現場に持ち込んで、施工状況を確認しながら直接データ入力を行うことも可能である。特に最近の報告書は、汎用表計算ソフトにより作成された帳票である場合が多く、このような帳票に対して現場での入力作業を行うことができれば効率的である。
【０００４】
一方、特許文献１には、原子力プラント内の作業手順の工程又は作業場所を表示する手順と、作業手順の工程又は作業場所において、作業が実施されたことの確認情報又は計測情報を入力する手順と、確認情報又は計測情報をデータベースに記憶する手順と、データベースに記憶した確認情報又は計測情報を帳票フォームに入力し報告書として記憶する手順と、を含む原子力プラント内作業支援方法に関する発明が記載されている。
【０００５】
また、特許文献２には、利用者によって作成された汎用表計算ソフトのテンプレートを用いて、業務データベースと汎用表計算ソフトの帳票との間のデータ入出力を行うデータ入出力装置に関する発明が記載されている。
【先行技術文献】
【特許文献】
【０００６】
【特許文献１】特開２０１２−１５９４７８号公報
【特許文献２】特開２０１２−１２３６０７号公報
【発明の概要】
【発明が解決しようとする課題】
【０００７】
しかしながら、紙にプリントアウトした未記入の報告用紙を現場に持ち込んで記入し、後からパソコンでデータ入力する方法は、時間を要するとともに、データの入力漏れや入力相違等が生じる可能性がある。また、予め数多くの種類の報告書の中から、対象となる工事の報告書用紙を用意しておく必要がある。
【０００８】
これに対して、多数の報告書の様式を記録してあるタブレット端末等を工事現場に持ち込んで、施工状況を確認しながら直接データ入力する方法は、時間の短縮や入力ミスの削減につながるように思われるが、実際には現場でのタブレット端末での入力作業は、慣れない指やタッチペンでの作業になるため、なかなか捗らないのが現実である。
【０００９】
一方、特許文献１に記載された発明は、原子力プラント内という限定された場所での作業について、システム的に作業実施の確認を行うことができるようにしたものであるが、汎用表計算ソフトにより作成された帳票のような一般的な報告書への入力を支援するものではない。
【００１０】
同様に、特許文献２に記載された発明は、業務データベースと汎用表計算ソフトの帳票との間のデータ入出力を行うデータ入出力装置に関するものであって、汎用表計算ソフトの帳票自体への入力を支援するものではない。
【００１１】
本発明は、上記従来の課題を解決するものであり、汎用表計算ソフトにより作成された帳票について、工事現場での短時間で正確なデータ入力を可能にした帳票入力支援システム、帳票入力支援方法及び帳票入力支援プログラムを提供するものである。
【課題を解決するための手段】
【００１２】
上記課題を解決するため、本発明の帳票入力支援システムは、汎用表計算ソフトにより作成された複数のセルからなる帳票への入力作業を支援する帳票入力支援システムであって、セルへの入力作業のための複数の支援メニューを表示する支援メニュー表示手段と、作業者の操作に基づいて、前記複数の支援メニューの中から使用する支援メニューを選択する支援メニュー選択手段と、前記選択した支援メニューに応じた作業者の操作に基づいて、セルへの入力を行う支援メニュー入力手段と、を有することを特徴とする。
【００１３】
また好ましくは、前記複数の支援メニューが、テンキー、キーボード、コピー・貼付け、用語、写真、日付、吹出し及び削除のうち２以上であることを特徴とする。
【００１４】
また本発明の帳票入力支援方法は、汎用表計算ソフトにより作成された複数のセルからなる帳票への入力作業を支援する帳票入力支援方法であって、セルへの入力作業のための複数の支援メニューを表示する支援メニュー表示ステップと、作業者の操作に基づいて、前記複数の支援メニューの中から使用する支援メニューを選択する支援メニュー選択ステップと、前記選択した支援メニューに応じた作業者の操作に基づいて、セルへの入力を行う支援メニュー入力ステップと、を有することを特徴とする。
【００１５】
また本発明の帳票入力支援プログラムは、汎用表計算ソフトにより作成された複数のセルからなる帳票への入力作業を支援する帳票入力支援システムに、セルへの入力作業のための複数の支援メニューを表示する支援メニュー表示ステップと、作業者の操作に基づいて、前記複数の支援メニューの中から使用する支援メニューを選択する支援メニュー選択ステップと、前記選択した支援メニューに応じた作業者の操作に基づいて、セルへの入力を行う支援メニュー入力ステップと、を実行させるためのものである。
【発明の効果】
【００１６】
本発明によれば、汎用表計算ソフトにより作成された複数のセルからなる帳票への入力作業を支援するにあたり、セルへの入力作業のための複数の支援メニューを表示することにより、作業者が使用できる支援メニューをわかりやすく認識することができる。そして、作業者の操作に基づいて、複数の支援メニューの中から使用する支援メニューを選択することにより、作業者の支援メニュー選択の意思がシステムに容易に反映される。さらに、選択した支援メニューに応じた作業者の操作に基づいて、セルへの入力を行うことにより、作業者がセルへの入力を容易に行うことができる。従って、工事現場での短時間で正確なデータ入力が可能となる。
【００１７】
また、複数の支援メニューとして、テンキー、キーボード、コピー・貼付け、用語、写真、日付、吹出し及び削除のうち２以上とすることにより、帳票への入力作業にあたり効果的な機能を支援メニューとすることができる。
【００１８】
以上、本発明によれば、汎用表計算ソフトにより作成された帳票について、工事現場での短時間で正確なデータ入力を可能にした帳票入力支援システム、帳票入力支援方法及び帳票入力支援プログラムを提供することができる。
【図面の簡単な説明】
【００１９】
【図１】本発明の実施形態に係る帳票入力支援システムのソフトウェア構成図である。
【図２】タブレット端末とタッチペンを示す図である。
【図３】帳票の一例を示す図である。
【図４】帳票入力支援システムによる帳票入力支援のフローチャートである。
【図５】支援メニュー画面を示す図である。
【図６】テンキー画面を示す図である。
【図７】キーボード画面を示す図である。
【図８】用語選択画面を示す図である。
【図９】用語選択画面を示す図である。
【図１０】写真メニューの説明図である。
【図１１】吹出しを示す図である。
【図１２】吹出し選択画面を示す図である。
【発明を実施するための形態】
【００２０】
次に、図１乃至図１２を参照して、本発明の実施形態に係る帳票入力支援システムについて説明する。まず、本実施形態に係る帳票入力支援システムの構成について説明する。図１は、帳票入力支援システム１００のソフトウェア構成図である。
【００２１】
帳票入力支援システム１００は、用意した支援メニュー１０４により、汎用表計算ソフトにより作成された複数のセルからなる帳票への入力作業を支援するものである。図１に示すように、帳票入力支援システム１００は、支援メニュー表示手段１０１、支援メニュー選択手段１０２及び支援メニュー入力手段１０３を有している。
【００２２】
支援メニュー１０４は、作業者１が汎用表計算ソフトにより作成された帳票の複数のセルに対してデータを入力していく作業を、効率的に行うための複数のメニューである。本実施形態では、支援メニューとして、テンキー１０、キーボード２０、コピー・貼付け３０、用語４０、写真５０、日付６０、吹出し７０及び削除８０を備えている。なお、支援メニューは、これら全てを備えていてもよいし、これらの中から２以上を備えるようにしてもよい。さらに、これら以外の他のメニューを備えていてもよい。また、各支援メニューは、本帳票入力支援システム１００の独自機能として保有してもよいし、汎用表計算ソフトやシステムが稼働する端末のＯＳ（オペレーティングシステム）が保有する機能を利用してもよい。各支援メニューの詳細については後述する。
【００２３】
支援メニュー表示手段１０１は、作業者１に対してセルへの入力作業のための複数の支援メニュー１０４を表示する機能を有しており、作業者１が使用できる支援メニューをわかりやすく認識することができるようになっている。
【００２４】
支援メニュー選択手段１０２は、作業者１の操作に基づいて、複数の支援メニュー１０４の中から使用する支援メニューを選択する機能を有しており、作業者１の支援メニュー選択の意思がシステムに容易に反映されるようになっている。
【００２５】
支援メニュー入力手段１０３は、選択した支援メニューに応じた作業者１の操作に基づいて、セルへの入力を行う機能を有しており、作業者がセルへの入力を容易に行うことができるようになっている。
【００２６】
次に、図２乃至図１２を参照して、本実施形態に係る帳票入力支援システム１００の具体的な使用方法について説明する。帳票入力支援システム１００は、例えば図２に示すような、タブレット端末２により実現される。タブレット端末２は、タッチペン３を用いて入力作業を行うことができるようになっており、入力対象の帳票を取り扱うことができる汎用表計算ソフトがインストールされている。そして、上述した機能を実現するためのプログラムをインストールすることによって、タブレット端末２が帳票入力支援システム１００として機能する。
【００２７】
図３は、入力対象の帳票の一例を示す図である。図３に示す帳票４は、電気設備工事の保守修繕に関わるリストであり、入力対象のセルは、日付入力、テキスト入力、○印による選択、現場写真の貼付等のように多岐に亘っている。このような各セルに対する入力作業を、汎用表計算ソフトやシステムが稼働する端末のＯＳが保有する機能のみを用いて行おうとすると、メニュー選択が多段階になって煩雑であり効率が悪い。特に現場でのタブレット端末による入力は、慣れない指やタッチペンでの作業になるためなかなか捗らない。これに対して、本実施形態に係る帳票入力支援システム１００の機能を使用することにより、メニュー選択が簡略化されるため入力作業の効率が飛躍的に上昇する。
【００２８】
図４は、本実施形態に係る帳票入力支援システム１００による帳票入力支援のフローチャートである。まず、タブレット端末２において、入力対象の帳票ファイルを汎用表計算ソフトにより開いた状態で、帳票入力支援プログラムを起動すると、画面上に複数の支援メニュー１０４が表示される（ステップＳ１０１）。図５は、支援メニュー画面Ｓ１０４を示す図である。支援メニュー画面Ｓ１０４は、汎用表計算ソフトの表示画面の上に重畳して表示される。
【００２９】
支援メニュー画面Ｓ１０４には、テンキー１０、キーボード２０、コピー・貼付け３０（コピー３１、貼付け３２）、用語４０、写真５０（写真１（５１）、写真２（５２））、日付６０、吹出し７０及び削除８０の各メニューボタンがあり、作業者１は、各メニューの中から使用する支援メニューのボタンをタッチすることにより選択する（ステップＳ１０２）。
【００３０】
作業者１の操作に基づいて使用する支援メニューが選択されると、選択した支援メニューに応じた入力画面へと遷移する。そして、選択した支援メニューに応じた作業者１の操作に基づいて、セルへの入力が行われる（ステップＳ１０３）。以下に各支援メニューにおける入力作業について説明する。
【００３１】
（１）テンキー
汎用表計算ソフトにおいて入力対象のセルを選択した状態で、テンキーボタン１０にタッチすると、図６に示すテンキー画面Ｓ１０が表示される。テンキー画面Ｓ１０は、基本的には数値入力を行うためのものであるが、本実施形態では数値以外にも、頻繁に使用する記号等を予め用意して選択できるようになっている。ここでは、○１１、×１２、チェックボックス１３、入力なし１４、良１５及び否１６を選択することができるようになっている。その他の記号等を用意しておくこともできる。
【００３２】
（２）キーボード
汎用表計算ソフトにおいて入力対象のセルを選択した状態で、キーボードボタン２０にタッチすると、図７に示すキーボード画面Ｓ２０のうち、手書き入力用画面２１、文字入力用画面２２及び数値入力用画面２３のいずれかのモードが表示される。どのモードが表示されるかは、例えば前回使用したモードとなるようにしてもよいし、別途どのモードとするか都度選択するようにしてもよい。もちろん入力途中でのモード変更も可能である。
【００３３】
（３）コピー・貼付け
汎用表計算ソフトにおいてコピー対象のセルを選択した状態で、コピーボタン３１にタッチし、次に入力対象のセルを選択した状態で、貼付けボタン３２にタッチする。これによりコピー対象のセルの内容がコピーされて、入力対象のセルに貼り付けられる。なお、複数のセルを一括して選択してからコピー・貼付けを行うこともできる。また、コピー・貼付けにあたっては、セルの書式（表示形式、配置、フォント、罫線、パターン、保護等）はコピーされず（変更されず）、貼付け先の書式が元のまま維持されるようにすることが好ましい。これは、帳票のデザイン上の問題から、入力するセルによって文字の大きさや罫線の位置等が予め定められており、これらの書式が意図せずに変更されることを防止するためである。
【００３４】
（４）用語
汎用表計算ソフトにおいて入力対象のセルを選択した状態で、用語ボタン４０にタッチすると、図８及び図９に示す用語選択画面Ｓ４０が表示される。用語選択画面Ｓ４０は、予め登録してある用語の中から入力する用語を選択するものであり、用語入力を効率化するものである。用語選択画面Ｓ４０には、予め登録された用語が表示されており、本実施形態では、図８に示す「単位他１」タブ４１と、図９に示す「単位他２」タブ４２が用意されている。そして、タブ４１には「単位（金額）」項目４１ａ、「単位（寸法）」項目４１ｂ、「単位（数量）」項目４１ｃの各々に、複数の用語が登録されている。また、タブ４２には「単位（電気）」項目４２ａ、「単位（空管）」項目４２ｂ、「単位（計算）」項目４２ｃの各々に、複数の用語が登録されている。
【００３５】
用語選択画面Ｓ４０において、入力したい用語にタッチしてから選択ボタン４４にタッチすると、タッチした用語が入力対象のセルに入力される。なお、複数の用語にタッチしてから選択ボタン４４にタッチすると、タッチした複数の用語がスペースを空けた状態で並んで入力されるようになっている。用語入力のためのデータは、入力対象の帳票によって大きく異なるため、作業者１が自分で使用する帳票に応じて予め登録してことが好ましい。なお本実施形態では、用語の事前登録を２階層としたが、これに限定されるものではなく、用語の種類や量に応じて必要な階層構成とすればよい。
【００３６】
（５）写真
（写真１）
タブレット端末２の内蔵カメラで現場写真を撮影した後、汎用表計算ソフトにおいて入力対象のセルを選択した状態で、写真１ボタン５１にタッチすると、今撮影した写真が入力対象のセルに貼り付けられる。なおこの機能は、撮影してカメラロールに保存された写真の中から最新の写真を自動的に選択するように設定することで実現できる。
（写真２）
汎用表計算ソフトにおいて入力対象のセルを選択した状態で、写真２ボタン５２にタッチすると、タブレット端末２のカメラロールに保存されている写真ファイルの一覧画面が表示される。表示された写真ファイルの中から貼り付けた写真を選択すると、選択した写真が入力対象のセルに貼り付けられる。
【００３７】
また写真１ボタンの機能を次のようにすることもできる。まず入力対象のセルを選択し写真１ボタンにタッチする。すると内蔵カメラが起動するので作業者１は必要な写真を撮影する。撮影した写真は入力対象のセルに貼り付けられるとともにタブレット端末２のカメラロールに保存される。最後に内蔵カメラが終了する。
【００３８】
写真の貼付けにあたっては、撮影した写真のサイズを入力対象のセルのサイズに合わせて拡大又は縮小することができる。例えば、図１０に示すように撮影した写真５１よりも入力対象のセル５２が大きい場合には、セル５２のサイズに合わせて自動的に拡大して貼り付ける。写真５１の縦横比とセル５２の縦横比が異なる場合には、縦横比を変えてセル５２が埋めるようにしてもよいし、セル５２に余白を生じさせて写真５１の縦横比を維持するようにしてもよい。さらに、写真のサイズを拡大又は縮小することなく貼り付けることや、例えば写真ボタンの右クリックや長押し等を利用して倍率選択ができるようにしてもよい。
【００３９】
（６）日付
汎用表計算ソフトにおいて入力対象のセルを選択した状態で、日付ボタン６０にタッチすると、今日の日付が入力される。また、任意の日付を入力したい場合には、日付ボタンの右クリックや長押し等を利用してカレンダーを表示し、カレンダーの中から任意の日付を選択するようにしてもよい。
【００４０】
（７）吹出し
汎用表計算ソフトにおいて入力対象のセルを選択した状態で、吹出しボタン７０にタッチすると、選択したセルの近くに、図１１に示すような吹出し７１が貼り付けられる。また、その他の吹出しや記号等を入力したい場合には、吹出しボタン７０の右クリックや長押し等を利用して、図１２に示すような吹出し選択画面Ｓ７０を表示し、表示された吹出しや記号等の中から任意のものを選択するようにしてもよい。
【００４１】
（８）削除
汎用表計算ソフトにおいて削除対象のセルを選択した状態で、削除ボタン８０にタッチすると、セルの内容が削除される。
【００４２】
本実施形態に係る帳票入力支援システム１００によれば、汎用表計算ソフトにより作成された複数のセルからなる帳票への入力作業を支援するにあたり、セルへの入力作業のための複数の支援メニュー１０４を表示することにより、作業者１が使用できる支援メニューをわかりやすく認識することができる。そして、作業者１の操作に基づいて、複数の支援メニュー１０４の中から使用する支援メニューを選択することにより、作業者１の支援メニュー選択の意思がシステムに容易に反映される。さらに、選択した支援メニューに応じた作業者１の操作に基づいて、セルへの入力を行うことにより、作業者がセルへの入力を容易に行うことができる。従って、工事現場での短時間で正確なデータ入力が可能となる。
【００４３】
また、複数の支援メニュー１０４として、テンキー１０、キーボード２０、コピー・貼付け３０、用語４０、写真５０、日付６０、吹出し７０及び削除８０のうち２以上とすることにより、帳票への入力作業にあたり効果的な機能を支援メニューとすることができる。
【００４４】
以上、本実施形態に係る帳票入力支援システム１００によれば、汎用表計算ソフトにより作成された帳票について、工事現場での短時間で正確なデータ入力を可能することができる。
【００４５】
以上、本発明の実施形態に係る帳票入力支援システム１００について説明したが、本発明は上述した実施の形態に限定されるわけではなく、その他種々の変更が可能である。例えば、上記実施形態では、タブレット端末２にプログラムをインストールして帳票入力支援システムとしたが、タブレット端末２と本社等に設置したサーバーとの間をネットワーク接続することにより、帳票入力支援システムとして構成するようにしてもよい。
【００４６】
また、タブレット端末以外の情報処理装置にも適用可能である。ただし、工事現場での使用を想定した場合には、タブレット端末への適用が極めて効果的である。
【符号の説明】
【００４７】
１  作業者
２  タブレット端末
３  タッチペン
４  帳票
１０  テンキー
２０  キーボード
３０  コピー・貼付け
４０  用語
５０  写真
６０  日付
７０  吹出し
８０  削除
１００  帳票入力支援システム
１０１  支援メニュー表示手段
１０２  支援メニュー選択手段
１０３  支援メニュー入力手段
１０４  支援メニュー
【図１】
0006348353.tif 000002
【図２】
0006348353.tif 000003
【図３】
0006348353.tif 000004
【図４】
0006348353.tif 000005
【図５】
0006348353.tif 000006
【図６】
0006348353.tif 000007
【図７】
0006348353.tif 000008
【図８】
0006348353.tif 000009
【図９】
0006348353.tif 000010
【図１０】
0006348353.tif 000011
【図１１】
0006348353.tif 000012
【図１２】
0006348353.tif 000013